(57)【要約】【課題】  シャッター作動警告装置における検出部の固定作業を不要とし、なおかつ、報知手段としての音声警報部および電源部を収容した本体の設置については、全く精度を要求することなく設置できるようにする。【解決手段】  所定のメッセージを再生して警告音を発声する音声警報部と、この音声警報部に電源を供給する電源部とを壁面等に設置される本体に収容し、作動を検出すべきシャッターに付着して、その離脱によりシャッターの作動を検出して音声警報部を駆動制御する検出部を可撓性の連結部により固定端と連結した。また、検出部を、作動を検出すべきシャッターに吸着して付着するマグネットキャッチと、シャッターへの付着・離脱により接点が開閉するリミットスイッチとした。さらに、固定端を本体上に設けた。【選択図】  図１
2006233467.tif 000002
【特許請求の範囲】
【請求項１】
所定のメッセージを再生して警告音を発声する音声警報部と、該音声警報部に電源を供給する電源部と、前記音声警報部および電源部を収容して壁面等に設置される本体と、作動を検出すべきシャッターに付着し、該シャッターからの離脱によりシャッターの作動を検出して前記音声警報部を駆動制御する検出部と、該検出部を固定端と連結する可撓性の連結部とからなることを特徴とするシャッター作動警告装置。
【請求項２】
検出部が、作動を検出すべきシャッターに吸着して付着するマグネットキャッチと、該シャッターへの付着・離脱により接点が開閉するリミットスイッチとよりなることを特徴とする請求項１に記載のシャッター作動警告装置。
【請求項３】
固定端を本体上に設けたことを特徴とする請求項１または２に記載のシャッター作動警告装置。
【請求項４】
電源部を電池電源としたことを特徴とする請求項１、２または３に記載のシャッター作動警告装置。
【発明の詳細な説明】
【技術分野】
【０００１】
本発明は、建物内の通路に設置された防火シャッターのようなシャッターカーテンが作動した際に、その作動を検出して音声メッセージにより警告するシャッター作動警告装置に関するものである。
【背景技術】
【０００２】
近時、学校に設置された防火シャッターが作動し、児童が挟まれるという痛ましい事故が発生した。この種の防火シャッターは、多くの施設で設置されており、シャッターの近くに設置された手動レバーを操作したり、煙感知器が煙を感知したりすると、自動的にシャッターが作動してシャッターカーテンの降下をはじめ、約３０秒後には閉鎖するようになっている。
【０００３】
しかし、従来この種シャッターにおいては、シャッターが作動してシャッターカーテンの降下を始めても、その付近には何らの警告もなされず、降下時の危険性を認識させるには不十分なものであった。
【０００４】
そこで、シャッターの近傍に安全啓蒙告知シールを貼り、シャッターが作動した際にはその付近に近づいたり、下をくぐることがないように注意喚起するものが知られている。また、既設のシャッターに取り付けることのできるシャッターの降下検知装置も知られている。（例えば、特許文献１参照。）。
【０００５】
この降下検知装置は、基端側が軸支された検知バーを、その先端側がシャッターカーテン下端の昇降移動経路上に位置した水平姿勢とシャッターカーテンから離間した垂下姿勢との間で回動自在とし、その検知バーを水平姿勢に保持する保持具と、その保持の解除に伴う検知バーの垂下姿勢への回動により報知手段を作動させるスイッチ機構とからなり、巻き取りドラムに巻き上げられたシャッターカーテンの下端である座板の僅か下方に検知バーの先端側が位置するようにして壁等に取付け固定して用いる。
【０００６】
【特許文献１】特開２０００−１０４４７１号公報（第１図、第２図、第４図）
【発明の開示】
【発明が解決しようとする課題】
【０００７】
ところで、上記の降下検知装置は、検知バーと、検知バーの保持具と、検知バーによって押圧されるスイッチ機構とからなるシャッターの作動を検出する検出部を、上記のように、巻き取りドラムに巻き上げられたシャッターカーテンの下端である座板の僅か下方に検知バーの先端側が位置するようにして壁等に取付け固定しなければならない。さらに、この検出部の検出信号によって駆動制御される報知手段を、検出部とは別に設置しなければならない。
【０００８】
これは既設のシャッターにも容易にしかも格別精度を要することなく設置することができると言っても、やはり検出部の固定にはある程度の精度は要求され、なおかつ、検出部と報知手段の２つを個別に固定あるいは設置しなければならない。
【０００９】
そこで、本発明は、検出部の固定作業を不要とし、なおかつ、報知手段としての音声警報部および電源部を収容した本体の設置については、全く精度を要求することなく設置できるようにして、上記課題を解決することを目的としている。
【課題を解決するための手段】
【００１０】
上記目的を達成するため、請求項１記載の発明は、所定のメッセージを再生して警告音を発声する音声警報部と、音声警報部に電源を供給する電源部と、音声警報部および電源部を収容して壁面等に設置される本体と、作動を検出すべきシャッターに付着し、シャッターからの離脱によりシャッターの作動を検出して音声警報部を駆動制御する検出部と、検出部を固定端と連結する可撓性の連結部とからなるシャッター作動警告装置であることを特徴としている。
【００１１】
また、請求項２記載の発明は、請求項１に記載のシャッター作動警告装置において、検出部が、作動を検出すべきシャッターに吸着して付着するマグネットキャッチと、シャッターへの付着・離脱により接点が開閉するリミットスイッチとよりなることを特徴としている。
【００１２】
また、請求項３記載の発明は、請求項１または２に記載のシャッター作動警告装置において、固定端を本体上に設けたことを特徴としている。
【００１３】
さらに、請求項４記載の発明は、請求項１、２または３に記載のシャッター作動警告装置において、電源部を電池電源としたことを特徴としている。
【発明の効果】
【００１４】
請求項１記載の発明によれば、シャッター作動警告装置は、音声警報部および電源部を収容して壁面等に設置される本体と、作動を検出すべきシャッターに付着させるだけで、その離脱からシャッターの作動を検出できる検出部と、その検出部を固定端に連結する可撓性の連結部とからなるので、従来のように検出部を精度よく固定する作業が一切不要となり、単に適宜の位置に本体を設置し、適宜の位置に設定した固定端と検出部を連結した上で、検出部をシャッターに付着させるだけで作業は完了する。
【００１５】
また、請求項２記載の発明によれば、請求項１記載のシャッター作動警告装置において、検出部を、シャッターに吸着して付着するマグネットキャッチと、シャッターへの付着・離脱により接点が開閉するリミットスイッチとしたので、鋼材等の磁性体からなるシャッターカーテン下端の座板に容易に付着させることができ、これにより検出部をシャッターに容易に設置することができる。
【００１６】
また、請求項３記載の発明によれば、請求項１または２に記載のシャッター作動警告装置において、固定端を本体上に設けたので、予め工場等で検出部を固定端に連結しておくことができ、設置現場においては本体の設置作業を行うだけで作業が完了できる。
【００１７】
さらに、請求項４記載の発明によれば、請求項１、２または３に記載のシャッター作動警告装置において、電源部を電池電源としたので、商用電源等からの電源供給配線が不要となり、より一層設置作業を容易とすることができる。
【発明を実施するための最良の形態】
【００１８】
以下、本発明を実施するための最良の形態を図面に基づいて説明する。
【実施例】
【００１９】
図１は、本発明によるシャッター作動警報装置の全体を示す斜視図である。本体１には、所定のメッセージを再生して警告音を発声する音声警報部２が、その放音孔３を本体外部に開放して収容されている。また、この本体１には、破線で示すように、音声警報部２に電源を供給する電池のような電源部４が収容されている。本体１の裾部には、本体１を壁面等にネジ等で設置する際に使用する小孔５が設けられている。また、本体１の側面には、検出部６との電気的な接続を行うケーブル７が貫通する貫通孔８が設けられている。
【００２０】
検出部６は、基台９上に据えられたマグネットキャッチ１０と、そのマグネットキャッチ１０に内装され、ローラ部分１１だけが露出しているリミットスイッチ１２とが設けられている。ここで、本実施形態において用いているリミットスイッチを内装したマグネットキャッチのほかに、リードスイッチを内装したマグネットキャッチも利用可能である。
【００２１】
マグネットキャッチ１０は、合成樹脂からなるハウジング１３内に磁石（図示せず）を内蔵しており、その磁石の両極に吸着したヨークの端面１４が、マグネットキャッチの吸着面に露出している。したがって、このヨークの端面１４を鋼材等の磁性体からなるシャッターカーテン下端の座板等に押し当てることにより、検出部６をシャッターに容易に吸着設置することができる。
【００２２】
検出部６の基台９には、ワイヤー１５からなる可撓性の連結部の一端がビス１６により接続されている。このワイヤー１５の他端は、巻き上げられた状態のシャッターカーテン下端近傍に位置する壁面等に接続されて、固定端となる。ワイヤー１５の両端間の中間部は、スパイラルチューブ１８によってケーブル７と共に束ねられている。
【００２３】
ここで、ワイヤー１５の固定端の位置およびワイヤーの長さが、シャッターカーテンの検出時における吐出量を決定する。すなわち、ワイヤーの長さを一定とすれば、巻き上げられた状態のシャッターカーテン下端に近いほど検出時の吐出量は多くなり、遠いほど検出時の吐出量は少なくなる。また、固定端の位置を一所すれば、ワイヤーの長さが長いほど検出時の吐出量は多くなり、短いほど検出時の吐出量は少なくなる。
【００２４】
このように、ワイヤー１５の他端である固定端は、シャッターカーテンの検出時における吐出量を勘案して適宜の位置に接続すればよいのであるが、これを本体上にビス１７により接続しておけば、予め工場等で検出部を固定端に連結しておくことができ、設置現場においては本体の設置作業を行うだけで、併せて固定端の接続作業も完了できる。
【００２５】
なお、上記実施形態においては、検出部を固定端と連結する可撓性の連結部をワイヤー１５としたが、本体１と検出部６の電気的な接続を行うケーブル７を可撓性の連結部として兼用させることもできる。ただし、この場合は検出部６がシャッターから離脱する時にケーブルに強いテンションが加わるので、電気的な接続が損なわれないように接合部等の構造には注意を要する。
【００２６】
つぎに、本発明によるシャッター作動警報装置を、廊下等の通路に設けられた防火シャッターに設置した使用状態の図面に基づいて説明すると、図２は巻き上げられたシャッターカーテン下端の座板に検出部６を吸着設置した状態を示し、図３はシャッターカーテンが降下して検出部６がシャッターから離脱した状態を示している。
【００２７】
シャッター作動警報装置の本体１は、巻き上げられたシャッターカーテンを内部に収納するシャッターケース１９の下側の壁面２０に設置する。この設置位置については、上記したように、ワイヤーの他端である固定端を本体１上に設けているので、シャッターカーテンの検出時における吐出量を勘案して適宜の位置に設置すればよく、本実施形態に限定されるものではない。
【００２８】
ここで、シャッタカーテンの検出時における吐出量をさらに少ないものとしたい場合には、図４に示すように、可撓性の連結部であるワイヤー１５の中間部分をケーブルクランプ２４等を用いて壁面２０に固定することにより新たな固定端とすれば、実質的なワイヤーの長さは短くすることができ、シャッタカーテンの検出時における吐出量をさらに少ないものとすることができる。
【００２９】
なお、本体１を設置したシャッターケース１９の下側壁面２０におけるさらに下方には、手動によりシャッターを作動させるための手動レバー２１が設置されており、この手動レバー２１を操作するとシャッターのブレーキが開放されてシャッターカーテンが自重により降下を開始する。
【００３０】
シャッター作動警報装置の検出部６は、マグネットキャッチからなるため、巻き上げられてシャッターケース１９に収納されたシャッターカーテンの外部に露出した磁性体からなる下端の座板２２に押し当てることにより吸着・付着し、簡単に設置することができる。
【００３１】
上記のように検出部６を設置したシャッターが、手動レバー２１の操作、あるいは、付近に設置された煙感知器の煙感知信号により作動すると、シャッターカーテンはガイドレール２３に沿って降下をはじめ、それ従って下端の座板２２に吸着・付着した検出部６も降下をはじめる。しかし、ワイヤー１５からなる可撓性の連結部の固定端の位置およびワイヤーの長さによって決定される所定のシャッターカーテン吐出量になると、検出部６は連結部を介して引っ張られ、シャッターカーテンの下端座板２２より離脱する。
【００３２】
この検出部６の離脱は、マグネットキャッチ１０に内装されたリミットスイッチ１２により検出され、本体１に収容された電源部４から音声警報部２に電源を供給し、所定のメッセージを再生して本体外部に開放した放音孔３より警告音を発声する。この警告音としては、「シャッターが閉まります。危ないですから、近寄らないでください。」というような警告メッセージと共に、「ピー、ピー、ピー」というような大音響の警告音を発すると、より明確な注意喚起を行うことができる。
【００３３】
このようにして、通常、シャッターカーテンの降下が終了してシャッターが閉まるには約３０秒ほどの時間があるため、シャッター作動の初期段階を検出して警告を発する本発明によるシャッター作動警告装置を用いれば、たとえシャッター付近にいる者であっても十分な待避時間を得ることができる。
【００３４】
なお、上記実施形態おいては、検出部をシャッターに付着させるのにマグネットキャッチを用いたが、本発明はこれに限定されるものではなく、例えば粘着テープを用いて貼り付けたり、接着剤等を用いて仮止めしたり、あるいは、検出部をシャッターケースとシャッターカーテン下端の座板との間に挟み込むこともできる。しかし、設置の容易さと確実さからマグネットキャッチを用いるのが現状においては最善と考えられる。
【産業上の利用可能性】
【００３５】
上記のように、本発明によるシャッター作動警告装置は、作動を検出すべきシャッターに付着し、その離脱によりシャッターの作動を検出しているが、これ以外にも本発明によるシャッター作動警告装置は利用可能である。
【００３６】
例えば、図４に示すように、壁面に設置された手動によりシャッターを作動させるための手動レバー２１は、比較的低い位置に設置されているため、悪戯により操作されることがあった。この手動レバー２１は、磁性体である金属ケース２５に収容しているのが通例である。そこで、手動レバー２１を一辺が蝶板２６によって開閉可能に固定されたカバー２７で覆い、カバー２７の開閉する辺に本発明による検出部２８を取り付けておく。そして、この検出部２８をケーブル２９により本体１に接続しておくことにより、カバー２７が開けられるのを直ちに検出することができ、カバー２７が開けられると直ぐにシャッターが作動したのと同様の警告音が発せられ、むやみに手動レバー２１が操作されるのを牽制することができる。
【００３７】
なお、図４に示した実施形態においては、カバー２７側に検出部２８を取り付けたが、カバー２７を磁性体としておくことにより、手動レバー２１が収容された金属ケース２５側に検出部２８を取り付けても、カバー２７が開けられるのを検出することができる。
【図面の簡単な説明】
【００３８】
【図１】本発明によるシャッター作動警報装置の全体を示す斜視図である。
【図２】本発明によるシャッター作動警報装置の使用状態を示す図である。
【図３】本発明によるシャッター作動警報装置の使用状態を示す図である。
【図４】本発明によるシャッター作動警報装置の他の利用形態を示す図である。
【符号の説明】
【００３９】
１      本体
２      音声警報部
３      放音孔
４      電源部
６      検出部
７      ケーブル
９      基台
１０      マグネットキャッチ
１２      リミットスイッチ
１４      ヨークの端面
１５      ワイヤー
１９      シャッターケース
２０      壁面
２１      手動レバー
２２      座板
２４      ケーブルクランプ
２６      蝶板
２７      カバー
２８      検出部
【図１】
2006233467.tif 000003
【図２】
2006233467.tif 000004
【図３】
2006233467.tif 000005
【図４】
2006233467.tif 000006